(57)【特許請求の範囲】
【請求項１】
間欠受信動作中に受信している一斉呼び出しチャネルＰＣＨ中の移動機識別子ＭＳＩを用いて自局の呼び出しがあるか否かを検出し、呼び出し待ち状態に遷移する時に１ゾーン中の無線チャネル数ＮＣ、１無線チャネル中の一斉呼び出しチャネルのＰＣＨの群分け数ＮＰ、前記ＭＳＩを用いて自局制御チャネルの計算を行い、受信した前記一斉呼び出しチャネルＰＣＨのタイムスロット位置が本来自局が受信しているべきタイムスロットか否かを判別し、タイムスロット誤りを検出した場合には基地局のタイミング検出を行い、自局制御チャネルの計算をした後に再び間欠受信動作に移行するタイムスロット誤りによる呼び出し不能状態の回避方法であって、
基地局との同期合わせ処理及び受信処理を実行する第１の処理工程と、該第１の処理工程に続いて実行され、ＰＣＨ受信タイミング決定処理を実行する第２の処理工程と、該第２の処理工程に続いて実行され、ＢＣＣＨ受信から間欠受信処理への移行処理を実行する第３の処理工程と、該第３の処理工程に続いて実行され、期待値と算出したＩＰの比較処理を実行する第４の処理工程とを含み、
前記第１の処理工程は、基地との同期合わせをするために同期ワードＳＷ、ＳＳＷのビットパターンを受信データ中で検索し、同期検出完了後にデータ受信処理を行い、該受信データからＣＡＣ制御信号を取得し、該取得したデータの型式を判断し、該判断の結果、報知チャネルＢＣＣＨであった場合に前記受信データ中より１ゾーン中に存在する無線チャネル数ＮＣ／１無線チャネル中に存在する自局の一斉呼び出しチャネルＰＣＨの群分け数ＮＰを取得して記憶部に保持し、該記憶部から移動機識別子ＭＳＩを取得する処理を含み、
前記取得したデータの型式を判断した結果、自局の一斉呼び出しチャネルＰＣＨであった場合には記憶部より１ゾーン中に存在する無線チャネル数ＮＣ／１無線チャネル中に存在するＰＣＨの群分け数ＮＰを取得し、受信データより移動機識別子ＭＳＩを取得し、
前記第２の処理工程は、記憶部から取得された移動機識別子ＭＳＩの下位２オクテッドを切り出して１０進表現することによりｎを算出し、前記ＭＳＩ及び受信データより取得したＮＣ、ＮＰを使用してｎ’＝（ｎ−１）ｍｏｄ（ＮＣ×ＮＰ）＋１式によりｎ’を算出し、ＩＦ＝（ｎ’−１）ｍｏｄＮＣ＋１式によりＩＦを算出し、ＩＰ＝［（ｎ’−１）／ＮＣ］＋１式によりＩＰを算出し、次にＩＦ／ＩＰを記憶部に保持し、ＢＣＣＨ／ＰＣＨいずれの処理中であるかを判断する処理を含み、
前記第３の処理工程は、ＢＣＣＨ／ＰＣＨいずれの処理中であるかの判断の結果、ＢＣＣＨの処理中である場合には現状のチャネルとＩＦ＝（ｎ’−１）ｍｏｄＮＣ＋１式により算出されたＩＦとを比較判断し、該比較判断の結果一致した場合には同期検出部より基地タイミングを抽出し、該タイミングとＩＰ＝［（ｎ’−１）ｍｏｄＮＣ＋１式により算出されたＩＰとを比較判断し、該比較判断の結果一致した場合には間欠受信処理へ移行してＰＣＨ受信処理を開始する処理を含み、
前記第４の処理工程は、前記第２の処理工程においてＢＣＣＨ／ＰＣＨいずれの処理中であるかの判断の結果、ＰＣＨの処理中である場合には記憶部よりＢＣＣＨ受信時に算出したＩＰを取得し、該ＩＰとＰＣＨデータより算出したＩＰとを比較判断し、該比較判断の結果一致した場合には受信タイミングがずれていないので間欠受信処理へ移行し、ＰＣＨ受信処理を継続し、
前記記憶部よりＢＣＣＨ受信時に算出したＩＰと前記ＰＣＨデータより算出したＩＰとを比較判断した結果、一致しない場合には受信タイミングがずれているので再度タイミング合わせ処理へ移行することを特徴としたタイムスロット誤りによる呼び出し不能状態の回避方法。
【発明の詳細な説明】
【０００１】
【発明の属する技術分野】
本発明は、タイムスロット誤りによる呼び出し不能状態の回避方法に関し、詳しくは、携帯電話機の呼び出し待ち中に行われる間欠受信において、何らかの理由により本来受信すべき自局の一斉呼び出しチャネルのデータ受信タイムスロットとは異なるタイミングで呼び出し待ち状態となってしまった携帯電話機におけるタイムスロット誤りを検出する検出方法に関するものである。
【０００２】
【従来の技術】
この種の技術の第１の従来例として挙げられる特開昭６０−６２７４６号公報には、Ｎ個（Ｎは１以上の整数）の無線基地局によるＮ個の無線ゾーンによって１つの制御ゾーンを構成し、この制御ゾーン内にいる移動機と無線基地局との間に呼び出し用の制御チャネルとそれに続く着信制御用のチャネルが設定され、この着信制御用のチャネルは、複数個の連続したタイムスロットから成るフレー構成をとり、その１タイムスロットに対して１着呼情報という関係で着信制御が無線基地局と移動機の間で送受信されるようにした移動無線方式において、着呼のあった移動機の呼び出し番号（移動機番号）に関する情報とこの情報の報知されるフレーム内タイムスロットの位置を示す情報の何れか一つまたは双方を基地局側から着信制御用チャネルに先立って事前に報知し、移動機は事前に受信した情報に従って着信制御用チャネルの受信時には、このチャネルを構成するフレームの中で必要なタイムスロットのみを間欠受信するようにした移動無線における間欠受信方式、が開示されている。
【０００３】
また、第２の従来例として挙げられる特開平１−１７０１２９号公報には、受信機の指定を行うための情報を含む呼び出し信号と、この呼び出し信号で指定した受信機に伝達する情報内容を示す情報信号とを送出する信号発生装置と、この信号発生装置から送出された各信号を無線信号として送信する送信装置と、この送信装置から送信された無線信号を受信する受信機とで構成される無線通信方式において、信号送出のタイムスロットを、呼び出し信号を送出する部分と、情報信号を送出する部分とに分離し、呼び出し信号を少なくとも情報内容の宛先を示す受信機番号と受信機番号で指定された受信機にあてた情報信号が送信されるタイミングを示す受信制御信号とで構成し、受信機は他の受信機へあてた情報信号が送信される時間については受信を休止する選択呼出通信方式、が開示されている。
【０００４】
第３の従来例として挙げられる特開平６−１１２８９２号公報には、各タイムスロットがセルラー電話回路網内の移動局と基地局との間のメッセージ信号の送信用に使用可能であり、通信チャンネルとして無線チャンネルフレームの特定のいくつかの前記タイムスロットを利用するシステムであって、フレームのいくつかのタイムスロット内に一連の２進ビットとして送信されるべきメッセージ信号を発生するメッセージ信号発生手段と、タイムスロットの各々の関連したタイムスロット関連同期語を発生する同期語発生手段であって、各タイムスロットはタイムスロットが第１型のチャンネルであるかまたは第２型のチャンネルであるかどうかを表示するチャンネル表示情報を含む前記同期語発生手段と、タイムスロットの各々にメッセージ信号と関連同期語とを割り当てることによって、複数の前記タイムスロットを含むフレームを作成するフレーム作成手段と、フレームを送信する送信手段と、フレームを受信する受信手段と、チャンネル表示情報を検出する検出手段と、第１型のチャンネルまたは第２型のチャンネルのいずれかの検出に応答してタイムスロットの各々がトラフィックチャンネルとしてまたは制御チャンネルとして利用されるべきかどうかを判定する判定手段と、を含むことを特徴とするシステム、が開示されている。
【０００５】
更にまた、第４の従来例として挙げられる特開平８−２２８３７７号公報には、１台の子機に対して自営用及び公衆用の各親機からの呼び出しを可能にし、子機には各親機からの必要な着信に応答できるようにした方式において、子機は複数の親機から送信される同期バーストの有無をそれぞれ異なる時間周期で受信スロットを介して検出し、同期バーストに含まれる識別符号からこの同期バーストが時局宛てと判断された場合には同期バーストを受信した受信スロットから数えて所定スロット後の送信スロットを介し自局の識別符号を付加した同期バーストを親機側へ返送して同期を確立し、受信した同期バースト中の親機の識別符号を受信スロットと関連づけて記憶しておくことにより、１台の子機の複数の親機を経由する発信および着信が可能になるディジタル無線電話装置の同期確立方式、が開示されている。
【０００６】
【発明が解決しようとする課題】
しかしながら、上記第１の従来例には、呼び出し制御チャネル内に移動機番号を含めて送信し、移動機は移動機番号により定まる特定のタイムスロットで間欠受信することが記述されており、第２の従来例には、呼び出し信号中の受信機番号に基づいて自局情報の有無を認識し、間欠受信処理を行うことが記述されており、第３の従来例には、移動局が制御チャネルとして使用するタイムスロットの特有標識を認識することにより、タイムスロットを識別することが記述されており、第４の従来例には、親機から送信される同期バーストに含まれる識別符号に基づき自局宛てか否かを判定し、間欠同期確立することが記述されているけれども、上記いずれの従来例においても、何らかの理由により本来受信すべき自局の一斉呼び出しチャネルの受信タイムスロットとは異なるタイミングで呼び出し待ち状態となってしまった場合に、タイムスロット誤りを検出することは不可能であった。
【０００７】
すなわち、上記第１〜第４の従来技術はいずれも間欠受信する部分もしくは呼び出しを受ける部分の発明である。
【０００８】
本発明は従来の技術に内在する上記実情に鑑みてなされたものであり、従って本発明の目的は、携帯電話機の呼び出し待ち中に行われる間欠受信において、何らかの理由により本来受信すべき自局の一斉呼び出しチャネルのデータ受信タイムスロットとは異なるタイミングで呼び出し待ち状態となってしまった携帯電話機におけるタイムスロット誤りを検出することを可能とした新規な検出方法を提供することにある。
【０００９】
【課題を解決するための手段】
上記目的を達成する為に、本発明に係るタイムスロット誤りによる呼び出し不能状態の回避方法は、間欠受信動作中に受信している一斉呼び出しチャネルＰＣＨ中の移動機識別子ＭＳＩを用いて自局の呼び出しがあるか否かを検出し、呼び出し待ち状態に遷移する時に１ゾーン中の無線チャネル数ＮＣ、１無線チャネル中の一斉呼び出しチャネルのＰＣＨの群分け数、前記ＭＳＩを用いて自局制御チャネルの計算を行い、受信した前記一斉呼び出しチャネルＰＣＨのタイムスロット位置が本来自局が受信しているべきタイムスロットか否かを判別し、タイムスロット誤りを検出した場合には基地局のタイミング検出を行い、自局制御チャネルの計算をした後に再び間欠受信動作に移行することを特徴としている。
【００１０】
タイムスロット誤りによる呼び出し不能状態の回避方法はまた、基地局との同期合わせ処理及び受信処理を実行する第１の処理工程と、該第１の処理工程に続いて実行され、ＰＣＨ受信タイミング決定処理を実行する第２の処理工程と、該第２の処理工程に続いて実行され、ＢＣＣＨ受信から間欠受信処理への移行処理を実行する第３の処理工程と、該第３の処理工程に続いて実行され、期待値と算出したＩＰの比較処理を実行する第４の処理工程とを含み構成されている。
【００１１】
前記第１の処理工程は、基地との同期合わせをするために同期ワードＳＷ、ＳＳＷのビットパターンを受信データ中で検索し、同期検出完了後にデータ受信処理を行い、該受信データからＣＡＣ制御信号を取得し、該取得したデータの型式を判断し、該判断の結果、報知チャネルＢＣＣＨであった場合に前記受信データ中より１ゾーン中に存在する無線チャネル数ＮＣ／１無線チャネル中に存在する自局の一斉呼び出しチャネルＰＣＨの群分け数ＮＰを取得して記憶部に保持し、該記憶部から移動機識別子ＭＳＩを取得する処理を含んでいる。
【００１２】
前記取得したデータの型式を判断した結果、自局の一斉呼び出しチャネルＰＣＨであった場合には記憶部より１ゾーン中に存在する無線チャネル数ＮＣ／１無線チャネル中に存在するＰＣＨの群分け数ＮＰを取得し、受信データより移動機識別子ＭＳＩを取得することを特徴とする。
【００１３】
前記第２の処理工程は、記憶部から取得された移動機識別子ＭＳＩの下位２オクテッドを切り出して１０進表現することによりｎを算出し、前記ＭＳＩ及び受信データより取得したＮＣ、ＮＰを使用してｎ’＝（ｎ−１）ｍｏｄ（ＮＣ×ＮＰ）＋１式によりｎ’を算出し、ＩＦ＝（ｎ’−１）ｍｏｄＮＣ＋１式によりＩＦを算出し、ＩＰ＝［（ｎ’−１）／ＮＣ］＋１式によりＩＰを算出し、次にＩＦ／ＩＰを記憶部に保持し、ＢＣＣＨ／ＰＣＨいずれの処理中であるかを判断する処理を含んでいる。
【００１４】
前記第３の処理工程は、ＢＣＣＨ／ＰＣＨいずれの処理中であるかの判断の結果、ＢＣＣＨの処理中である場合には現状のチャネルとＩＦ＝（ｎ’−１）ｍｏｄＮＣ＋１式により算出されたＩＦとを比較判断し、該比較判断の結果一致した場合には同期検出部より基地タイミングを抽出し、該タイミングとＩＰ＝［（ｎ’−１）ｍｏｄＮＣ＋１式により算出されたＩＰとを比較判断し、該比較判断の結果一致した場合には間欠受信処理へ移行してＰＣＨ受信処理を開始する処理を含んでいる。
【００１５】
前記第４の処理工程は、前記第２の処理工程においてＢＣＣＨ／ＰＣＨいずれの処理中であるかの判断の結果、ＰＣＨの処理中である場合には記憶部よりＢＣＣＨ受信時に算出したＩＰを取得し、該ＩＰとＰＣＨデータより算出したＩＰとを比較判断し、該比較判断の結果一致した場合には受信タイミングがずれていないので間欠受信処理へ移行し、ＰＣＨ受信処理を継続することを含んでいる。
【００１６】
前記記憶部よりＢＣＣＨ受信時に算出したＩＰと前記ＰＣＨデータより算出したＩＰとを比較判断した結果、一致しない場合には受信タイミングがずれているので再度タイミング合わせ処理へ移行することを特徴とする。
【００１７】
本発明に係るタイムスロット誤りによる呼び出し不能状態の回避装置は、データを送受信するための無線手段と、該無線手段に接続され基地局のデータにビットレベルで同期を合わせるための同期検出手段と、使用者に対して着信などの状態を通知するための表示手段と、使用者が携帯電話機を操作するための入力手段と、前記送受信データ及び表示データ、使用者からの入力データ、携帯電話機の状態等を保持するための記憶手段と、前記同期検出手段、前記表示手段、前記入力手段、前記記憶手段にそれぞれ接続され、前記送受信データの解析、作成、表示手段の制御、入力手段の状態変化の監視などを行うためのＣＰＵ手段とを備えて構成される。
【００１８】
［発明の前提技術］
以下に本発明を理解するために前題となる技術について説明する。
【００１９】
図２に携帯電話機で用いられるＴＤＭＡ方式のタイムスロット及び無線区間での自局の一斉呼び出しチャネル（以下ＰＣＨと略記する）のデータフォーマットを示す。
【００２０】
図２において、２１は１スーパフレームのタイムスロットを示し、１スーパフレームのタイムスロットは３６サブフレームから成り、７２０ｍｓの長さを有する。
【００２１】
２２はサブフレームを示し、１サブフレームは、約６．６ｍｓの長さの最小単位であるユニット３個から成る３タイムスロットであり、２０ｍｓの長さを有する。
【００２２】
２３は最小単位のタイムスロットであり、長さ約６．６ｍｓのユニットである。
【００２３】
ユニット２３は、４ビットのＲ：バースト過渡応答時間２４、４８ビットのＰ：プリアンブル２５、２０ビットのＳＷ：同期ワード２６、８ビットのＣＣ：カラーコード２７、１１２ビットのＣＡＣ：制御信号２８、１８ビットのＧ：ガード時間２９から成り、また、Ｓ７〜Ｓ９：スーパフレームの先頭を表す同期ワード（ＳＳＷ）パターン、Ｓ１〜Ｓ３：スーパフレームの先頭以外を表す同期ワード（ＳＷ）パターンをそれぞれ示している。
【００２４】
図３は基地局とのビットレベルでの同期をとるための信号（２０ビット同期ワードパターン）を示す図である。
【００２５】
図３において、スーパフレームの先頭とそれ以外のユニットを識別するための２０ビット同期ワード（以下ＳＳＷもしくはＳＷと略記する）。ＳＳＷとはスーパフレームの先頭のサブフレーム中にあるユニットにて使用される同期ワード３０であり、ＳＷとはスーパフレームの先頭ユニット以外で用いられる同期ワード３１である。ここで判ることは携帯電話機では同期ワードでスーパフレームの先頭とそれ以外のスロットであることを識別しているということである。
【００２６】
図４は無線チャネルの基本構造を示す図である。
【００２７】
図５は上記無線チャネル（図４参照）と移動機内部の移動機識別子（以下ＭＳＩと略記する）による自局制御チャネル＝自局の呼び出しスロット移行動作の例を示す図である。
【００２８】
図５に示された選択動作により携帯電話機が受信する一斉呼び出しチャネルＰＣＨ４３のタイムスロットは決定される。
【００２９】
また、同一の計算を基地局でも行い携帯電話機がＰＣＨ４３を受信するタイムスロットは基地局及び携帯電話機で同期するシステムとなっている。
【００３０】
図６は上記図５にて選択されたＰＣＨ４３を受信し、且つ動作電流を少なくする為の間欠受信動作例を示すタイミングチャートである。  この間欠動作とは自局のＰＣＨ４３のみ受信する動作である。
【００３１】
図７はＰＣＨ４３のネットワーク層でのデータフォーマットを示す図である。この受信データ中のＭＳＩを判別することで携帯電話機は自局の呼び出しであるか否かを判別する。
【００３２】
図２〜図６の仕様及び動作を経て携帯電話機は基地局からの呼び出しを待つ間欠受信動作に移行する。
【００３３】
従来の携帯電話機での問題点は図６に示された間欠受信動作中に何らかの理由により受信するタイムスロット誤りが発生すると基地局のＰＣＨ送信タイムスロットと移動機のＰＣＨ受信タイムスロットが合わないために呼び出し不能の状態になってしまう点にあった。
【００３４】
本来呼び出し待ち中に受信するはずがないＰＣＨ４３以外の情報チャネルのタイムスロットにて呼び出し待ち状態にはいればＰＣＨ４３以外のデータを受信するのでタイムスロット誤りを検出可能であるが、ＰＣＨ４３が受信できるタイムスロットに誤って同期してしまい、同期ワードＳＷ２６のパターンデータも受信できてしまえば携帯電話機では基地局とのタイミングがずれたことを検出できず、受信タイムスロットが誤っていないものとして基地局からの呼び出しを待ち続けて間欠受信動作を継続することになる。その結果、呼び出し不能状態になってしまっていた。
【００３５】
そこで本発明では間欠動作受信中に受信しているＰＣＨ４３中の移動機識別子ＭＳＩを用いて自局の呼び出しがあるか否かの他に呼び出し待ち状態に遷移する時に行う自動制御チャネルの計算（図５参照）を行うものとする。
【００３６】
ＰＣＨ４３は複数の携帯電話機で受信可能であるために他局に対するＰＣＨ４３も受信可能である。
【００３７】
ＮＣ４４、ＮＰ４５は、無線チャネルで共通のパラメータであるために移動機識別子ＭＳＩを用いて自局制御チャネルの計算（図５参照）を行うことで、受信した一斉呼び出しチャネルＰＣＨ４３のタイムスロット位置が本来自局が受信しているべきタイムスロットか否か判別可能である。
【００３８】
タイムスロット誤りを検出した場合には基地局のタイミング検出を行い、自局制御チャネルの計算をした後に再び間欠受信動作に移行する。このように制御することで呼び出し不能状態を回避する。
【００３９】
【発明の実施の形態】
次に、本発明をその好ましい一実施の形態について図面を参照しながら詳細に説明する。
【００４０】
図１は、本発明による一実施の形態を示す機能ブロック構成図である。
【００４１】
【実施の形態の構成】
図１を参照するに、本発明による一実施の形態における受信装置は、データを送信するための無線部１０と、基地局のデータにビットレベルで同期を合わせるための同期検出部１１と、使用者に対して着信などの状態を通知するための表示部１２と、使用者が携帯電話機を操作するための入力部１３と、上記送受信データ及び表示データ、使用者からの入力データ、携帯電話機の状態等を保持するための記憶部１４と、上記送受信データの解析、作成、表示部の制御、入力部の状態変化の監視などを行うためのＣＰＵ部１５とから構成される。
【００４２】
【実施の形態の動作】
次に本発明による一実施の形態の動作について説明する。
【００４３】
先ず図２〜図７に関して説明する。
【００４４】
図２を参照して携帯電話機で用いている無線区間フォーマット（ＴＤＭＡ方式）に関して説明する。
【００４５】
まず無線チャネルで基準となるのがスーパフレーム２１であり、これは７２０ｍｓを一周期としている。このスーパフレーム２１中に３６個のサブフレーム２２が配置されている。このサブフレーム２２は２０ｍｓ周期となっている。サブフレーム２２中に３つのユニット２３が配置されている。
【００４６】
ユニット２３は受信データの最小単位であり、この中にバースト過渡応答時間２４（以下Ｒと略記する）が４ビット、プリアンブル２５（以下Ｐと略記する）が４８ビット、ＳＷ２６が２０ビット、カラーコード２７（以下ＣＣと略記する）が８ビット、制御信号２８（以下ＣＡＣと略記する）が計２２４ビット、ガード時間２９（以下Ｇと略記する）が１８ビット配置されている。
【００４７】
また、図２中に記載されているＳ１〜Ｓ３、Ｓ７〜Ｓ９に関しては図３で説明する。
【００４８】
次に図３を用いて図２中に記載した同期ワードＳＷ２６の２０ビットパターンについて説明する。
【００４９】
Ｓ７〜Ｓ１２はスーパフレーム２１の先頭のサブフレーム２２中にあるユニット２３にて使用される同期ワード（ＳＳＷ）２６であり、特にＰＣＨ４３を受信する場合の無線チャネルではＳ７〜Ｓ９（３０）が用いられている。
【００５０】
Ｓ１〜Ｓ６はスーパフレーム２１の先頭ユニット以外で用いられる同期ワード（ＳＷ）２６であり、ＳＳＷと同様にＰＣＨ受信の無線チャネルではＳ１〜Ｓ３（３１）が用いられる（サブユニットへの配置は図２参照）。
【００５１】
ここで注目すべきは、ＳＷ２６パターンを用いて基地局のタイムスロットの検出を行うとスーパフレーム２１の先頭のサブフレーム２２中にあるユニット２３以外はＳＷ２６パターンがＳ１〜Ｓ３（３１）の繰り返しとなり、仮に何らかの理由によりサブフレーム単位のタイミングずれがあった場合に携帯電話機ではタイミングずれを検出することができない点である。
【００５２】
図４に無線チャネルの基本構成を示す。図４は１ゾーン中に存在する無線チャネルＮＣが２個の場合を例に示している。
【００５３】
図４を参照するに、まず報知チャネル（以下ＢＣＣＨと略記する）４１、個別セル用チャネル（以下ＳＣＣＨと略記する）４２、一斉呼び出しチャネル（ＰＣＨ）４３について説明する。
【００５４】
ＢＣＣＨ４１は図４に示している無線チャネルの基本構成情報等を携帯電話機に通知するのに用いられる情報チャネルである。
【００５５】
ＳＣＣＨ４２は発着信動作中のように一時的に携帯電話機個々のデータの送受信が必要な場合に用いられるチャネルである。
【００５６】
ＰＣＨ４３は携帯電話機が基地局からの呼び出し待ち状態に遷移した場合に基地局からの呼び出し信号を受信するためのチャネルであって、ＰＣＨ４３は複数の携帯電話機に同時に受信されるチャネルであり、このデータ中にある移動機識別子ＭＳＩを持って呼び出しを行う携帯電話機を識別する。
【００５７】
図４において、ＢはＢＣＣＨを、ＳはＳＣＣＨを、ＰはＰＣＨをそれぞれ略記して示している。
【００５８】
次に無線チャネルの基本構成を決定するパラメータであるＮＣ４４、ＮＰ４５、ＡＢ４６、ＡＰ４７、ＡＳ１（４８）、ＡＳ２（４９）について説明する。
【００５９】
ＮＣ４４は１ゾーン中に存在する無線チャネルの数を表す。
【００６０】
ＮＰ４５は１無線チャネル中に存在するＰＣＨ４３の群分け数を表す。
【００６１】
ＡＢ４６は１スーパフレームの先頭から存在するＢＣＣＨ４１の数を表す。
【００６２】
ＡＳ１（４８）はＢＣＣＨ４１に続いて配置されているＳＣＣＨ４２の数を表す。
【００６３】
ＡＰ４７はＰＣＨ４３の数を表し、前記ＳＣＣＨ４２に続いて配置される。
【００６４】
ＡＳ２（４９）は前記ＰＣＨ４３から次のＰＣＨ４３までの間に配置されるＳＣＣＨ４２の数を表す。
【００６５】
これら叙上のパラメータにより無線チャネル中に配置されている情報チャネル毎の配置が携帯電話機に通知され、これを元に携帯電話機は自局のＰＣＨの位置を計算し基地局からの呼び出し待ち状態である間欠受信に移行する。
【００６６】
図５は上記図４に示された無線チャネルと移動機内部の移動機識別子ＭＳＩによる自局制御チャネル移行動作の例（自局制御チャネル選択動作例）を示す図である。
【００６７】
移動機識別子ＭＳＩとは無線電話機個々に寄与される個別の識別番号である。ＭＳＩ及び図４にて説明したＮＣ４４、ＮＰ４５を用いて自群制御チャネル選択＝自局の待ち受けタイムスロットを計算する。
【００６８】
また、同一の計算を基地局でも行い、携帯電話機がＰＣＨ４３を受信するユニット２３は基地局及び携帯電話機で同期するシステムとなっている。
【００６９】
自群制御チャネルの計算に用いられる計算式は以下の通りである。
【００７０】
ｎ＝ＭＳＩ（１６進表現）の下位２オクテッドの１０進表現値
ｎ’＝（ｎ−１）ｍｏｄ（ＮＣ×ＮＰ）＋１
ＩＦ＝（ｎ’−１）ｍｏｄ  ＮＣ＋１
ＩＰ＝［（ｎ’−１）／ＮＣ］＋１
本実施例ではＭＳＩ及び基地局のデータより算出される値を以下のようにする。
【００７１】
ＮＣ＝３  ＮＰ＝３  ｎ＝９
上記パラメータを用いて計算すると以下の値が算出される。
【００７２】
ｎ’＝９  ＩＦ＝３  ＩＰ＝３
図６は上記図５にて選択されたＰＣＨを受信し、かつ動作電流を少なくするための間欠受信動作を説明するタイミングチャートである。尚、本説明図はＡＰ４７＝１の場合を記載している。
【００７３】
携帯電話機は基地局からの呼び出し待ち中は自群のＰＣＨ４３以外は受信しない仕様となっている。この理由としては、その他のユニット２３のデータを受信する必要がないシステムとなっており、受信動作を行わないことで消費される電流を削減できる等のメリットがあるためである。
【００７４】
図７はＰＣＨのネットワーク層でのデータフォーマットを示す図である。
【００７５】
携帯電話機はＰＣＨ４３データ中のＭＳＩと自局のＭＳＩを比較することで自局の呼び出しであるか否か判別している。ＭＳＩのデータ比較を行い自局のＭＳＩと合えば基地局より呼び出しをされたものとして通話動作などに移行する。受信したＭＳＩと自局のＭＳＩが合わなければ呼び出しを受けていないものとして図６に記載する間欠受信動作を継続する。
【００７６】
図２〜図６の仕様及び動作を経て携帯電話機は基地局からの呼び出しを待つ間欠受信（図６参照）の動作に移行する。
【００７７】
この間欠受信動作中に何らかの理由により携帯電話機のタイムスロット誤りが発生すると、基地局のＰＣＨ送信タイムスロットと移動機のＰＣＨ受信タイムスロットが合わないために呼び出し不能の状態になってしまう。
【００７８】
本来呼び出し待ち中に受信するはずがないＢＣＣＨ４１やＳＣＣＨ４２のタイムスロットにて間欠受信動作に入ればＰＣＨ４３以外のデータを受信するのでタイムスロット誤りを検出可能であるが、ＰＣＨ４３が受信できるタイムスロットに誤って同期してしまい、期待するＳＷ２６のパターンデータが受信できてしまえば携帯電話機では基地局とのタイミングがずれたことを検出できずに自局受信タイムスロットが誤っていないものとして基地局からの呼び出しを待ち続ける。その結果、呼び出し不能状態になってしまう。
【００７９】
そこで本発明では間欠受信動作中に受信しているＰＣＨ４３中のＭＳＩを用いて自局の呼び出しがあるか否かの他に呼び出し待ち状態に遷移する時に行う自局制御チャネルの計算（図５参照）を行うものとする。
【００８０】
ＰＣＨ４３は複数の携帯電話機で受信可能であるために、他局に対するＰＣＨ４３も受信可能である。
【００８１】
ＮＣ４４、ＮＰ４５は無線チャネルで共通のパラメータであるために、ＭＳＩを用いて自局制御チャネルの計算（図５参照）を行うことで受信したＰＣＨ４３のタイムスロット位置が本来自局が受信しているべきタイムスロットか否か判別可能である。また、これらの処理は待ち受け動作移行時に従来から行われている処理であるために、処理も容易である。
【００８２】
タイムスロット誤りを検出した場合には、基地局のタイミング検出を行い、自局制御チャネルの計算をした後に再び間欠受信動作に移行する。このように制御することで呼び出し不能状態を回避することが可能である。
【００８３】
次に本発明による一実施の形態の動作を図８〜図１１に示されたフローチャートを参照しながら更に詳細に説明する。
【００８４】
図８は基地との同期合わせ処理およびデータ受信処理フローを、図９はＰＣＨ受信タイミング決定処理フローを、図１０はＢＣＣＨ受信から間欠受信処理への移行処理フローを、図１１は期待値と算出したＩＰとの比較処理フローを、それぞれ示し、図８〜図１１の処理フローは連続しており、▲１▼〜▲５▼は接続されている。
【００８５】
［基地との同期合わせ処理及びデータ受信処理］
先ず図８のステップＳ１において基地との同期合わせが行われる。
【００８６】
次にステップＳ２において、図１の同期検出部１１は、ＳＷ及びＳＳＷのビットパターンを受信データ中で検索する。
【００８７】
ステップＳ３において同期検出が完了したか否かが判断される。
【００８８】
次に、ステップＳ３の判断の結果、Ｙｅｓの場合、即ち同期検出が完了した場合には、ステップＳ４でデータの受信処理がなされ、ステップＳ５においてＣＡＣデータが取得される。
【００８９】
次いで、ステップＳ６において取得されたデータの型式が判断される。
【００９０】
ステップＳ６の判断の結果、取得したデータのタイプがＢＣＣＨの場合には、ステップＳ７において受信データ中よりＮＣ／ＮＰを取得して図１の記憶部１４に保持する。
【００９１】
次にステップＳ８において、ＭＳＩを記憶部１４より取得する。
【００９２】
ステップＳ６の判断の結果、取得したデータのタイプがＰＣＨの場合には、ステップＳ７’において記憶部１４よりＮＰＣ／ＮＰを取得し、ステップＳ８’において受信データよりＭＳＩを取得する。ＰＣＨ受信時には期待値（移動局の記憶部にあるＭＳＩ／ＮＣ／ＮＰより算出する）と比較するために受信データ中のＭＳＩが使用される。
【００９３】
［ＰＣＨ受信タイミング決定処理］
続いて図９を参照するに、図９のステップＳ９に進んで、ｎの算出、即ち、ＭＳＩの下位２オクテッドを切り出して１０進表現する。
【００９４】
続いて、ステップＳ１０、ステップＳ１１、ステップＳ１２において、それぞれ、下記（１）式によるｎ’（計算途中値）の算出、（２）式によるＩＦの算出、（３）式によるＩＰの算出
ｎ’＝（ｎ−１）ｍｏｄ（ＮＣ×ＮＰ）＋１・・・・・（１）
ＩＦ＝（ｎ’−１）ｍｏｄＮＣ＋１・・・・・・・・・（２）
ＩＰ＝［（ｎ’−１）／ＮＣ］＋１・・・・・・・・・（３）
ｍｏｄ：除算後の剰余算出演算
を実行する。
【００９５】
次にステップＳ１３においてＩＦ／ＩＰを図１の記憶部１４に保持する。
【００９６】
次にステップＳ１４においてＢＣＣＨ／ＰＣＨいずれの処理中であるかが判断される。
【００９７】
［ＢＣＣＨ受信から間欠受信処理への移行処理］
ステップＳ１４の判断の結果、ＢＣＣＨの処理中の場合には図１０のステップＳ１５に進み、ステップＳ１５において現状のチャネルとステップＳ１１で算出されたＩＦとが比較判断される。
【００９８】
ステップＳ１５による比較判断の結果、一致した場合にはステップＳ１６において同期検出部１１より基地タイミングを抽出し、ステップＳ１７において抽出したタイミングとステップＳ１２で算出したＩＰとを比較判断する。
【００９９】
ステップＳ１７による比較判断の結果、一致した場合にはステップＳ１８において間欠受信処理へ移行し、ＰＣＨ受信処理が開始され、図１のステップＳ４に戻される。
【０１００】
［期待値と算出したＩＰの比較処理］
図９のステップＳ１４の判断の結果、ＰＣＨ処理の場合には、図１１のステップＳ１９に進み、図１の記憶部１４より、ＢＣＣＨ受信時にステップＳ１２で算出したＩＰを取得する。
【０１０１】
次にステップＳ２０において、ＰＣＨデータより算出したＩＰとを比較判断する。
【０１０２】
ステップＳ２０による判断の結果、一致した場合にはステップＳ２１に移行し、この場合には受信タイミングがずれていないので、間欠受信処理となり、ＰＣＨ受信処理が実行され、図８のステップＳ４に戻される。
【０１０３】
図１１のステップＳ２０の判断の結果、一致しない場合には、ステップＳ２２に進み、受信タイミングがずれているので、図８のステップＳ１に戻り、再度タイミング合わせ処理が行われる。
【０１０４】
図８のステップＳ６の判断の結果、ＰＣＨの場合には、ステップＳ７’において、記憶部１４よりＮＣ／ＮＰを取得し、更にステップＳ８’においてＭＳＩを受信データより取得し、続いて、図９のステップＳ９に進み、前述した処理と同じ処理が実行される。
【０１０５】
【他の実施の形態】
本発明による一実施の形態の実施例では携帯電話機を記載したが、以下の条件が揃えば他の通信機機にも適応可能であり、適応できると考えられる通信機機としては、ページャ、ＰＨＳ、ＣＤＭＡ方式の通信機器が挙げられる。これらの通信機器では次の機能を実行する。
【０１０６】
ポイント−マルチポイントの通信を行う。
【０１０７】
一定周期で呼び出しなどの信号を受信する。
【０１０８】
相手からの呼び出し信号中に自局の識別データがある。
【０１０９】
また本発明による一実施の形態の実施例では図７に示すようにＰＣＨ４３の受信データ解析を行うことで自局制御チャネルを計算する方法を記したが、ＰＣＨ４３以外でもＭＳＩと同様に識別子を通知してくる信号があれば同様の制御が可能である。携帯電話機での通知方法としてはリンク層のフォーマット中にＭＳＩをいれて通知することが可能である。
【０１１０】
【発明の効果】
本発明は以上の如く構成され、作用するものであり、本発明によれば以下に示すような効果が得られる。
【０１１１】
携帯電話機の呼び出し待ち状態において、呼び出し不能の状態を回避することができる。
【０１１２】
既存の制御及び計算を組み合わせて行うので装置への適応が容易である。
【０１１３】
専用のハードウェアを必要としないために他の装置への適応が容易である。
【０１１４】
本発明は、既存の間欠受信ではサブフレーム単位のタイミングずれを認識することが出来ないために着信不能状態に陥るが、本発明ではタイミングずれに陥った場合でもタイミングずれを検出し、復帰可能とする特長が得られる。
【図面の簡単な説明】
【図１】本発明による一実施の形態を示す機能ブロック構成図である。
【図２】本発明に使用されるタイムスロット及びＰＣＨデータフォーマットを示す図である。
【図３】２０ビット同期ワードパターンを示す図である。
【図４】無線チャネルの基本構造（無線チャネル数が２つの場合の例）を示す図である。
【図５】自局制御チャネル選択動作例を示す図である。
【図６】間欠受信の動作例（ＡＰ＝１の場合の例）を説明するタイミングチャートである。
【図７】ＰＣＨのネットワーク層でのデータフォーマットを示す図である。
【図８】基地との同期合わせ処理及びデータ受信処理フローを示すフローチャートである。
【図９】ＰＣＨ受信タイミング決定処理フローを示すフローチャートである。
【図１０】ＢＣＣＨ受信から間欠受信処理への移行処理フローを示すフローチャートである。
【図１１】期待値と算出したＩＰの比較処理フローを示すフローチャートである。
【符号の説明】
１０…無線部
１１…同期検出部
１２…表示部
１３…入力部
１４…記憶部
１５…ＣＰＵ
２１…スーパフレーム
２２…サブフレーム
２３…ユニット
２４…ハースト過渡応答時間
２５…プリアンブル
２６…同期ワードＳＷ
２７…カラーコード（ＣＣ）
２８…制御信号（ＣＡＣ）
２９…ガード時間（Ｇ）
３０、３１…同期ワード
４３…ＰＣＨ
４４…ＮＣ
４５…ＮＰ
【図１】
0003769501.tif 000002
【図２】
0003769501.tif 000003
【図３】
0003769501.tif 000004
【図４】
0003769501.tif 000005
【図５】
0003769501.tif 000006
【図６】
0003769501.tif 000007
【図７】
0003769501.tif 000008
【図８】
0003769501.tif 000009
【図９】
0003769501.tif 000010
【図１０】
0003769501.tif 000011
【図１１】
0003769501.tif 000012